(57)【要約】【課題】  カメラや加速度センサなどを動作させる必要がなく、高度な省電力機能を達成することができる携帯端末装置およびプログラムを提供する。【解決手段】  携帯端末装置（１）では、電源部（１４）から供給される駆動電力が、計時制御部（１６２）によって制御された計時部（１３）から出力される計時値に基づいて、電力制御部（１６３）によって制御される。電力制御部（１６３）が駆動電力を制御するときに用いる計時部（１３）による計時値は、タッチパネル（１１）から出力される操作位置情報に基づく操作位置情報出力判定部（１６１）による判定結果に応じて、計時制御部（１６２）によって制御されたものである。【選択図】      図１
2015052975.tif 000002
【特許請求の範囲】
【請求項１】
電源部と、
操作者による操作によって、前記電源部による電力の供給状態を給電状態および非給電状態のいずれかの状態に切換える電源切換操作部と、
操作者が接触操作した位置を示す操作位置情報を出力するタッチパネルと、
前記タッチパネルから操作位置情報が出力されていると判定した場合には情報出力判定信号を出力し、操作位置情報が出力されていないと判定した場合には情報非出力判定信号を出力する操作位置情報出力判定部と、
時間を連続的に計時し、計時した計時値を出力する計時部と、
前記電源切換操作部によって前記電源部による電力の供給状態が給電状態に切換えられると前記計時部に計時動作を開始させ、前記操作位置情報出力判定部から情報出力判定信号が出力されると前記計時部の計時動作を停止させて計時値をリセットし、前記操作位置情報出力判定部から情報非出力判定信号が出力されると前記計時部の計時動作を継続させる計時制御部と、
前記計時部から出力される計時値が予め定める閾値に達するまでは、前記電源部によって供給される電力を第１の電力に制御し、前記計時部から出力される計時値が前記閾値に達すると、前記電源部によって供給される電力を前記第１の電力よりも低い第２の電力に制御する電力制御部と、を備えることを特徴とする携帯端末装置。
【請求項２】
画像を表示する表示面を有する表示部と、
前記計時制御部によって前記計時部から出力される計時値がリセットされてから計時動作が再開されるまでの間、計時値がリセットされたことを示す、予め定める計時値リセット画像を、前記表示部の表示面に表示させる表示制御部とをさらに備えることを特徴とする請求項１に記載の携帯端末装置。
【請求項３】
前記タッチパネルの一部を、特定接触操作領域として設定する特定接触操作領域設定部をさらに備え、
前記操作位置情報出力判定部は、前記特定接触操作領域が設定されている場合、前記タッチパネルから、前記特定接触操作領域内に対応する操作位置情報である特定操作位置情報が出力されていると判定した場合には情報出力判定信号を出力し、前記特定操作位置情報が出力されていないと判定した場合には情報非出力判定信号を出力することを特徴とする請求項１または２に記載の携帯端末装置。
【請求項４】
前記特定接触操作領域設定部は、
前記タッチパネルに対する第１の特定接触操作に対応して前記タッチパネルから出力される操作位置情報に基づいて、前記タッチパネルに前記特定接触操作領域を設定し、
前記タッチパネルに対する第２の特定接触操作に対応して前記タッチパネルから操作位置情報が出力されると、前記タッチパネルに設定された前記特定接触操作領域を解除することを特徴とする請求項３に記載の携帯端末装置。
【請求項５】
コンピュータを、請求項１〜４のいずれか１つに記載の携帯端末装置として機能させるためのプログラム。
【発明の詳細な説明】
【技術分野】
【０００１】
本発明は、携帯端末装置およびプログラムに関する。
【背景技術】
【０００２】
近年、スマートフォン、ＰＤＡ（Personal Digital Assistants）などの携帯端末装置は、タッチパネルを搭載したものが広く普及している。携帯端末装置に搭載されるタッチパネルは、ユーザによるタッチ操作を検出するタッチセンサを備え、画像を表示する表示部の表示面に重畳されて設けられる。
【０００３】
タッチパネル搭載型の携帯端末装置では、表示部の表示面に、ユーザによるタッチ操作に対応した処理を実行するためのＵＩ（User Interface）オブジェクトを表すＵＩオブジェクト画像が表示され、該ＵＩオブジェクト画像に対応するタッチパネルの位置にタッチ操作がユーザによってなされた場合に、そのＵＩオブジェクト画像に対応する処理が実行される。
【０００４】
上記のようなタッチパネル搭載型の携帯端末装置において、省電力化を図るために、通常モードと省電力モードとを相互に切換え可能に構成される携帯端末装置が提案されている。
【０００５】
省電力機能を有する携帯端末装置では、ユーザによってタッチパネルに対するタッチ操作が行われている間は通常モードに設定され、タッチパネルに対するタッチ操作が行われていない時間が一定時間に達すると、通常モードから省電力モードに自動的に切換えられて、供給される電力がより低い電力に制御される。
【０００６】
省電力機能を有する携帯端末装置では、上記のように、タッチパネルに対するタッチ操作が行われていない時間が一定時間に達すると、通常モードから省電力モードに自動的に切換えられるので、ユーザがタッチ操作を行わずに表示部の表示面に表示される画像を閲覧中に、ユーザの意思に反して省電力モードに切換えられて、画像の閲覧ができなくなってしまうという問題があった。
【０００７】
このような問題点を解決する技術が、特許文献１〜５に開示されている。特許文献１〜５に開示される技術では、カメラや加速度センサなどを用いて、ユーザが表示部の表示面に表示される画像を閲覧中であるか否かを判断し、タッチパネルに対するタッチ操作が行われていなくても、ユーザが画像閲覧中であると判断した場合には省電力モードに切換えずに、通常モードを維持する。これによって、ユーザの意思に反して省電力モードに切換えられて、画像の閲覧ができなくなってしまうことを防止することができる。
【先行技術文献】
【特許文献】
【０００８】
【特許文献１】特開２００４−４６３８６号公報
【特許文献２】特開２００７−２６６７０６号公報
【特許文献３】特開平９−１２０３２３号公報
【特許文献４】特開平１１−２４２７３３号公報
【特許文献５】特開２００５−２２１９０７号公報
【発明の概要】
【発明が解決しようとする課題】
【０００９】
しかしながら、特許文献１〜５に開示される技術では、カメラや加速度センサなどの特殊部品が必要であるばかりではなく、ユーザが画像閲覧中であるか否かの判断にカメラや加速度センサを動作させる必要があり、余分な駆動電力の消費がなされてしまう。その結果、高度な省電力機能を達成することができない。
【００１０】
本発明の目的は、カメラや加速度センサなどを動作させる必要がなく、高度な省電力機能を達成することができる携帯端末装置およびプログラムを提供することである。
【課題を解決するための手段】
【００１１】
本発明は、電源部と、
操作者による操作によって、前記電源部による電力の供給状態を給電状態および非給電状態のいずれかの状態に切換える電源切換操作部と、
操作者が接触操作した位置を示す操作位置情報を出力するタッチパネルと、
前記タッチパネルから操作位置情報が出力されていると判定した場合には情報出力判定信号を出力し、操作位置情報が出力されていないと判定した場合には情報非出力判定信号を出力する操作位置情報出力判定部と、
時間を連続的に計時し、計時した計時値を出力する計時部と、
前記電源切換操作部によって前記電源部による電力の供給状態が給電状態に切換えられると前記計時部に計時動作を開始させ、前記操作位置情報出力判定部から情報出力判定信号が出力されると前記計時部の計時動作を停止させて計時値をリセットし、前記操作位置情報出力判定部から情報非出力判定信号が出力されると前記計時部の計時動作を継続させる計時制御部と、
前記計時部から出力される計時値が予め定める閾値に達するまでは、前記電源部によって供給される電力を第１の電力に制御し、前記計時部から出力される計時値が前記閾値に達すると、前記電源部によって供給される電力を前記第１の電力よりも低い第２の電力に制御する電力制御部と、を備えることを特徴とする携帯端末装置である。
【００１２】
また本発明の携帯端末装置は、画像を表示する表示面を有する表示部と、
前記計時制御部によって前記計時部から出力される計時値がリセットされてから計時動作が再開されるまでの間、計時値がリセットされたことを示す、予め定める計時値リセット画像を、前記表示部の表示面に表示させる表示制御部とをさらに備えることを特徴とする。
【００１３】
また本発明の携帯端末装置は、前記タッチパネルの一部を、特定接触操作領域として設定する特定接触操作領域設定部をさらに備え、
前記操作位置情報出力判定部は、前記特定接触操作領域が設定されている場合、前記タッチパネルから、前記特定接触操作領域内に対応する操作位置情報である特定操作位置情報が出力されていると判定した場合には情報出力判定信号を出力し、前記特定操作位置情報が出力されていないと判定した場合には情報非出力判定信号を出力することを特徴とする。
【００１４】
また本発明の携帯端末装置において、前記特定接触操作領域設定部は、
前記タッチパネルに対する第１の特定接触操作に対応して前記タッチパネルから出力される操作位置情報に基づいて、前記タッチパネルに前記特定接触操作領域を設定し、
前記タッチパネルに対する第２の特定接触操作に対応して前記タッチパネルから操作位置情報が出力されると、前記タッチパネルに設定された前記特定接触操作領域を解除することを特徴とする。
【００１５】
また本発明は、コンピュータを、前記携帯端末装置として機能させるためのプログラムである。
【発明の効果】
【００１６】
本発明によれば、携帯端末装置は、操作者が接触操作した位置を示す操作位置情報を出力するタッチパネルと、操作位置情報出力判定部と、時間を連続的に計時する計時部と、計時部の計時動作を制御する計時制御部と、電力制御部とを備える。操作位置情報出力判定部は、タッチパネルから操作位置情報が出力されていると判定した場合には情報出力判定信号を出力し、操作位置情報が出力されていないと判定した場合には情報非出力判定信号を出力する。
【００１７】
計時制御部は、電源切換操作部によって電源部による電力（駆動電力）の供給状態が給電状態に切換えられると、計時部に計時動作を開始させる。また、計時制御部は、計時部の計時動作開始後に、操作位置情報出力判定部から情報出力判定信号が出力されると、計時部の計時動作を停止させて計時値をリセットする。さらに、計時制御部は、計時部の計時動作開始後に、操作位置情報出力判定部から情報非出力判定信号が出力されると、計時部の計時動作を継続させる。そして、電力制御部は、計時部から出力される計時値が予め定める閾値に達するまでは、電源部によって供給される駆動電力を第１の電力に制御し、計時部から出力される計時値が前記閾値に達すると、電源部によって供給される駆動電力を、前記第１の電力よりも低い第２の電力に制御する。
【００１８】
上記のように構成される本発明の携帯端末装置では、電源部から供給される駆動電力が、計時制御部によって制御された計時部から出力される計時値に基づいて、電力制御部によって制御される。電力制御部が駆動電力を制御するときに用いる計時部による計時値は、タッチパネルから出力される操作位置情報に基づく操作位置情報出力判定部による判定結果に応じて、計時制御部によって制御されたものであるので、カメラや加速度センサなどの特殊部品を動作させることなく、高度な省電力機能を達成することができる。
【図面の簡単な説明】
【００１９】
【図１】本発明の第１実施形態に係る携帯端末装置１の構成を示すブロック図である。
【図２】携帯端末装置１の外観を示す図である。
【図３】携帯端末装置１において、制御部１６が省電力モード切換制御プログラムを実行することによって行われる省電力モード切換制御処理の処理手順を示すフローチャートである。
【図４】携帯端末装置１における省電力モード切換制御処理を説明するための図である。
【図５】本発明の第２実施形態に係る携帯端末装置２０の構成を示すブロック図である。
【図６】携帯端末装置２０において、制御部１６が省電力モード切換制御プログラムを実行することによって行われる省電力モード切換制御処理の処理手順を示すフローチャートである。
【図７】携帯端末装置２０における省電力モード切換制御処理を説明するための図である。
【発明を実施するための形態】
【００２０】
以下、本発明の携帯端末装置の実施の形態について、図面を参照しながら説明する。なお、この実施の形態によってこの発明が限定されるものではない。
【００２１】
図１は、本発明の第１実施形態に係る携帯端末装置１の構成を示すブロック図である。図２は、携帯端末装置１の外観を示す図である。携帯端末装置１は、スマートフォン、ＰＤＡ（Personal Digital Assistants）などであり、本実施形態ではスマートフォンである。携帯端末装置１は、タッチパネル１１と、記憶部１２と、計時部１３と、電源部１４と、電源切換操作部である電源ボタン１５と、制御部１６とを含んで構成される。なお、携帯端末装置１は、無線通信を行うための通信装置、電話機能を実現するための音声処理装置、カメラ機能を実現するためのカメラ装置などを備えてもよいが、説明の便宜上、ここでは、図示とその説明を省略する。
【００２２】
電源ボタン１５は、ユーザによる操作によって、電源部１４による駆動電力の供給状態を給電状態および非給電状態のいずれかの状態に切換える。
【００２３】
タッチパネル１１は、電源部１４による駆動電力の供給状態が電源ボタン１５によって給電状態に切換えられて、電源部１４から駆動電力が供給された状態で、ユーザ（操作者）による接触操作を検出するタッチセンサ１１２を備え、画像を表示する表示部１１１の表示面１１１Ａに重畳されて設けられる。タッチパネル１１は、表示部１１１の表示面１１１Ａに平行かつ同一形状である矩形状の操作面を有し、その操作面が外部に露出するように、筐体１７内に収容されている。
【００２４】
表示部１１１は、たとえば液晶パネルおよびバックライトを備える液晶ディスプレイ装置や、有機ＥＬ（Electro-Luminescence）ディスプレイ装置などの公知の表示装置によって実現される。表示部１１１は、電源部１４による駆動電力の供給状態が電源ボタン１５によって給電状態に切換えられて、電源部１４から駆動電力が供給された状態で、表示面１１１Ａに画像を表示する。表示部１１１の表示面１１１Ａに表示される画像は、たとえば、ユーザによる接触に対応した処理を実行するためのＵＩ（User Interface）オブジェクトを表すＵＩオブジェクト画像である。表示部１１１の表示面１１１ＡにＵＩオブジェクト画像が表示された状態で、該ＵＩオブジェクト画像に対応するタッチパネル１１の操作面の位置に接触がユーザによってなされた場合に、そのＵＩオブジェクト画像に対応する処理が実行される。
【００２５】
タッチセンサ１１２は、たとえば抵抗膜方式や投影型静電容量方式のセンサによって実現され、ユーザが指やスタイラスなどを用いて、タッチパネル１１の操作面に対して行われた接触の、該操作面に対向する表示面１１１Ａ上での接触位置に対応する操作位置情報（座標情報）を、制御部１６へ出力する。
【００２６】
記憶部１２は、フラッシュメモリなどの半導体メモリによって実現され、携帯端末装置１の基本的な機能を実現するオペレーティングシステム（ＯＳ：Operating System）プログラムが記憶されるとともに、電話機能を実現するための電話プログラム、電子メール機能を実現するメールプログラム、電話帳機能を実現するための電話帳プログラム、メモ帳機能を実現するためのメモ帳プログラム、およびＷｅｂブラウジング機能を実現するブラウザプログラム、ＳＭＳ（Short Message Service）機能を実現するためのＳＭＳプログラム、カメラ機能を実現するためのカメラプログラム、時計機能を実現するための時計プログラム、辞書機能を実現するための辞書プログラムなどの種々のアプリケーションプログラムが記憶される。
【００２７】
本実施形態では、この記憶部１２には、コンピュータを携帯端末装置１として機能させるためのプログラムであり、後述する省電力モード切換制御処理を実行するためのプログラム（以下、「省電力モード切換制御プログラム」と称する）が記憶されている。なお、この省電力モード切換制御プログラムは、携帯端末装置１に予めインストールされていてもよく、または、インターネットからダウンロードするなどして取得し、インストールされてもよい。
【００２８】
計時部１３は、時間を連続的に計時し、計時した計時値を制御部１６に出力する。この計時部１３は、その計時動作が後述する計時制御部１６２によって制御される。計時部１３の計時動作については後述する。
【００２９】
制御部１６は、携帯端末装置１の各部の動作を制御する処理部であり、たとえばＣＰＵ（Central Processing Unit）、ＲＯＭ（Read Only Memory）およびＲＡＭ（Random Access Memory）によって実現される。制御部１６は、記憶部１２からＲＡＭにロードされるオペレーティングシステムプログラムおよびアプリケーションプログラムを実行するとともに、省電力モード切換制御プログラムを実行する。
【００３０】
制御部１６は、操作位置情報出力判定部１６１と、計時制御部１６２と、電力制御部１６３と、表示制御部１６４とを含んで構成される。制御部１６は、省電力モード切換制御プログラムを実行することによって、本発明における操作位置情報出力判定部１６１、計時制御部１６２、電力制御部１６３、および表示制御部１６４として機能する。
【００３１】
制御部１６は、記憶部１２に記憶されている省電力モード切換制御プログラムを実行することによって、電源部１４から表示部１１１およびタッチパネル１１に供給される駆動電力を、計時制御部１６２によって制御された計時部１３から出力される計時値に基づいて、電力制御部１６３によって制御する処理を行う。
【００３２】
操作位置情報出力判定部１６１は、タッチパネル１１のタッチセンサ１１２から操作位置情報が出力されていると判定した場合には情報出力判定信号を出力し、操作位置情報が出力されていないと判定した場合には情報非出力判定信号を出力する。また、操作位置情報出力判定部１６１は、操作位置情報からＵＩオブジェクト画像や特定接触操作領域に対する接触であるか否かを判定する。
【００３３】
計時制御部１６２は、電源ボタン１５によって電源部１４による駆動電力の供給状態が給電状態に切換えられると、計時部１３に計時動作を開始させる。また、計時制御部１６２は、計時部１３の計時動作開始後に、操作位置情報出力判定部１６１から情報出力判定信号が出力されると、計時部１３の計時動作を停止させて計時値をリセットする。また、計時制御部１６２は、計時部１３の計時動作開始後に、操作位置情報出力判定部１６１から情報非出力判定信号が出力されると、計時部１３の計時動作を継続させる。さらに、計時制御部１６２は、計時部１３の計時動作開始後であって、計時部１３の計時動作を停止させて計時値をリセットした後に、操作位置情報出力判定部１６１から情報非出力判定信号が出力されると、計時部１３の計時動作を再開させる。
【００３４】
電力制御部１６３は、計時制御部１６２によって制御された計時部１３から出力される計時値に基づいて、電源部１４から表示部１１１およびタッチパネル１１に供給される駆動電力を制御する。電力制御部１６３は、表示部１１１およびタッチパネル１１が第１の駆動電力で動作する通常モードと、表示部１１１およびタッチパネル１１が第１の駆動電力よりも低い第２の駆動電力で動作する省電力モードとを相互に切換える。
【００３５】
具体的には、電力制御部１６３は、電源ボタン１５によって電源部１４による駆動電力の供給状態が給電状態に切換えられると、通常モードに設定し、表示部１１１およびタッチパネル１１に電源部１４から供給される駆動電力を第１の駆動電力に制御する。電力制御部１６３は、電源ボタン１５によって電源部１４による駆動電力の供給状態が給電状態に切換えられて、計時部１３の計時動作開始後に、計時制御部１６２によって計時部１３の計時動作が停止されて計時値がリセットされたとき、および、計時部１３から出力される計時値が予め定める閾値に達するまでは、通常モードを維持し、表示部１１１およびタッチパネル１１に供給される駆動電力を第１の駆動電力に制御する。そして、電力制御部１６３は、電源ボタン１５によって電源部１４による駆動電力の供給状態が給電状態に切換えられて、計時部１３の計時動作開始後に、計時部１３から出力される計時値が前記閾値に達すると、表示部１１１およびタッチパネル１１に供給される駆動電力を、前記第１の駆動電力よりも低い第２の駆動電力に制御する。
【００３６】
表示制御部１６４は、表示部１１１を制御する機能を有し、たとえば、表示部１１１の表示面１１１ＡにＵＩオブジェクト画像が表示されるように制御する。また、表示制御部１６４は、ＵＩオブジェクト画像が表示された状態で、該ＵＩオブジェクト画像に対応するタッチパネル１１の操作面の位置に接触操作がユーザによってなされて、アプリケーションプログラムが実行された場合に、そのアプリケーションプログラムに対応したアプリケーション画像が表示面１１１Ａに表示されるように、表示部１１１を制御する。さらに、表示制御部１６４は、計時制御部１６２によって計時部１３から出力される計時値がリセットされてから計時動作が再開されるまでの間、計時値がリセットされたことを示す、予め定める計時値リセット画像を、表示部１１１の表示面１１１Ａに表示させる。
【００３７】
図３は、携帯端末装置１において、制御部１６が省電力モード切換制御プログラムを実行することによって行われる省電力モード切換制御処理の処理手順を示すフローチャートである。図４は、携帯端末装置１における省電力モード切換制御処理を説明するための図である。
【００３８】
ユーザによる電源ボタン１５の操作によって電源部１４による駆動電力の供給状態が給電状態に切換えられて、電力制御部１６３が、通常モードに設定し、表示部１１１およびタッチパネル１１に電源部１４から供給される駆動電力を第１の駆動電力に制御すると、省電力モード切換制御処理が開始され、ステップｓ１に進む。
【００３９】
なお、電力制御部１６３が通常モードに設定し、表示部１１１およびタッチパネル１１に第１の駆動電力が供給されると、表示部１１１の表示面１１１Ａには、たとえば図４（ａ）に示すような、複数のＵＩオブジェクト画像が表示される。図４（ａ）の例では、表示部１１１の表示面１１１Ａには、ＵＩオブジェクト画像として、「電話帳」オブジェクト画像Ｕ１、「電話」オブジェクト画像Ｕ２、「ＳＭＳ」オブジェクト画像Ｕ３、「Ｅ−メール」オブジェクト画像Ｕ４、「ブラウザ」オブジェクト画像Ｕ５、「カメラ」オブジェクト画像Ｕ６、「メモ帳」オブジェクト画像Ｕ７、「時計」オブジェクト画像Ｕ８、および「辞書」オブジェクト画像Ｕ９が配置されている。
【００４０】
ステップｓ１では、計時制御部１６２は、計時部１３の計時動作を開始させる。次に、ステップｓ２では、操作位置情報出力判定部１６１は、タッチパネル１１に対するユーザによる接触が行われた否かを判定する。具体的には、操作位置情報出力判定部１６１は、タッチパネル１１のタッチセンサ１１２から操作位置情報が出力されているか否かを判定することによって、タッチパネル１１に対するユーザによる接触が行われた否かを判定する。操作位置情報出力判定部１６１は、操作位置情報が出力されていると判定した場合には情報出力判定信号を出力してステップｓ５に進み、操作位置情報が出力されていないと判定した場合には情報非出力判定信号を出力してステップｓ３に進む。
【００４１】
ステップｓ２において操作位置情報出力判定部１６１から情報非出力判定信号が出力された後のステップｓ３では、計時制御部１６２は、ステップｓ１において計時動作を開始させた計時部１３の計時動作を継続させる。そして、電力制御部１６３は、計時部１３から出力される計時値が予め定める閾値に達したか否かを判定する。電力制御部１６３は、計時部１３による計時値が閾値に達していないと判定した場合にはステップｓ２に処理を戻し、計時部１３による計時値が閾値に達するまでは、通常モードを維持し、表示部１１１およびタッチパネル１１に供給される駆動電力を第１の駆動電力に制御する。また、電力制御部１６３は、計時部１３による計時値が閾値に達したと判定した場合にはステップｓ４に進む。
【００４２】
ステップｓ４では、電力制御部１６３は、通常モードから省電力モードにモードの設定を切換えて、表示部１１１およびタッチパネル１１に供給される駆動電力を、前記第１の駆動電力よりも低い第２の駆動電力に制御する。このように、電力制御部１６３によって省電力モードに設定されると、表示部１１１のバックライトが消灯されるとともに、タッチパネル１１のタッチセンサ１１２がオフ状態となり、図４（ｄ）に示すように、表示部１１１の表示面１１１Ａには画像が表示されない状態となる。これによって、省電力化が図られる。
【００４３】
ステップｓ２において操作位置情報出力判定部１６１から情報出力判定信号が出力された後のステップｓ５では、計時制御部１６２は、ステップｓ１において計時動作を開始させた計時部１３の計時動作を停止させて計時値をリセットする。このとき、計時部１３から出力される計時値は当然に予め定める閾値に達していないので、電力制御部１６３は、通常モードを維持し、表示部１１１およびタッチパネル１１に供給される駆動電力を第１の駆動電力に制御する。
【００４４】
また、ステップｓ５において計時制御部１６２によって計時部１３による計時値がリセットされると、表示制御部１６４は、図４（ｃ）に示すように、計時値がリセットされたことを示す、予め定める計時値リセット画像Ｒ１またはＲ２を、表示部１１１の表示面１１１Ａに表示させる。図４（ｃ）に示す計時値リセット画像Ｒ１の例は、星形などの特定形状の図形画像であり、図４（ｃ）に示す計時値リセット画像Ｒ２の例は、タッチパネル１１に対する接触の位置に対応して表示される破線円形状の図形画像である。
【００４５】
次に、ステップｓ６では、操作位置情報出力判定部１６１は、ステップｓ２において検出したタッチパネル１１に対する接触が、タッチパネル１１の操作面における、表示面１１１Ａに表示されるＵＩオブジェクト画像内に対応する位置に対する接触であるか否かを判定する。操作位置情報出力判定部１６１がＵＩオブジェクト画像内に対応する接触であると判定した場合にはステップｓ７に進み、ＵＩオブジェクト画像内に対応する接触ではないと判定した場合にはステップｓ８に進む。
【００４６】
ステップｓ７では、表示制御部１６４は、ＵＩオブジェクト画像に応じて実行される、アプリケーションプログラムに対応したアプリケーション画像が表示面１１１Ａに表示されるように、表示部１１１を制御する。たとえば、表示部１１１の表示面１１１Ａに表示される、図４（ａ）に示すＵＩオブジェクト画像のうち、「メモ帳」オブジェクト画像Ｕ７に対応する接触がなされ、メモ帳プログラムが実行された場合には、表示制御部１６４は、図４（ｂ）に示すように、メモ帳アプリケーション画像が表示面１１１Ａに表示されるように、表示部１１１を制御する。
【００４７】
次に、ステップｓ８では、操作位置情報出力判定部１６１は、タッチパネル１１に対するユーザによる接触状態が解除されたか否かを判定する。具体的には、操作位置情報出力判定部１６１は、タッチパネル１１のタッチセンサ１１２から操作位置情報が出力されているか否かを判定することによって、タッチパネル１１に対するユーザによる接触状態が解除されたか否かを判定する。操作位置情報出力判定部１６１は、操作位置情報が出力されて、タッチパネル１１に対する接触状態が解除されていないと判定した場合には情報出力判定信号を出力してステップｓ８を繰り返し、操作位置情報が出力されておらず、タッチパネル１１に対する接触状態が解除されたと判定した場合には、ステップｓ５において表示させた計時値リセット画像を消去し、情報非出力判定信号を出力してステップｓ１に進む。
【００４８】
上記のように構成される本実施形態の携帯端末装置１では、電源部１４から表示部１１１およびタッチパネル１１に供給される駆動電力が、計時制御部１６２によって制御された計時部１３から出力される計時値に基づいて、電力制御部１６３によって制御される。電力制御部１６３が駆動電力を制御するときに用いる計時部１３による計時値は、タッチパネル１１から出力される操作位置情報に基づく操作位置情報出力判定部１６１による判定結果に応じて、計時制御部１６２によって制御されたものであるので、カメラや加速度センサなどの特殊部品を動作させることなく、高度な省電力機能を達成することができる。
【００４９】
図５は、本発明の第２実施形態に係る携帯端末装置２０の構成を示すブロック図である。本実施形態の携帯端末装置２０は、前述の携帯端末装置１に類似し、対応する部分については同一の参照符号を付して説明を省略する。携帯端末装置２０は、制御部２１の構成が、前述の制御部１６の構成と異なる以外は、携帯端末装置１と同様である。
【００５０】
携帯端末装置２０の制御部２１は、操作位置情報出力判定部１６１、計時制御部１６２、電力制御部１６３、および表示制御部１６４以外に、特定接触操作領域設定部２１５を有している。
【００５１】
特定接触操作領域設定部２１５は、タッチパネル１１の操作面の一部を、特定接触操作領域として設定する。特定接触操作領域設定部２１５は、タッチパネル１１の操作面上の予め定める位置に固定的に特定接触操作領域を設定してもよく、ユーザによるタッチパネル１１に対する接触操作に応じて特定接触操作領域を設定してもよい。
【００５２】
ユーザによるタッチパネル１１に対する接触操作に応じて特定接触操作領域を設定する場合には、特定接触操作領域設定部２１５は、タッチパネル１１に対する第１の特定接触操作（たとえば、表示面１１１Ａを正面視した状態で、左から右に連続したスワイプタッチ操作）に対応してタッチパネル１１から出力される操作位置情報に基づいて、タッチパネル１１に特定接触操作領域を設定する。また、特定接触操作領域設定部２１５は、タッチパネル１１に特定接触操作領域を設定した後に、タッチパネル１１に対する第２の特定接触操作（たとえば、表示面１１１Ａを正面視した状態で、右から左に連続したスワイプタッチ操作）に対応してタッチパネル１１から操作位置情報が出力されると、タッチパネル１１に設定された特定接触操作領域を解除する。
【００５３】
携帯端末装置２０において、表示制御部１６４は、特定接触操作領域設定部２１５がタッチパネル１１に設定した特定接触操作領域に対応する表示面１１１Ａの位置に、特定接触操作領域が設定されている位置を示すための特定接触操作領域画像を、表示部１１１に表示させる。表示部１１１の表示面１１１Ａに表示される特定接触操作領域画像は、表示面１１１Ａに表示されるＵＩオブジェクト画像が視認可能なように、透過性を有する画像であるのが望ましい。なお、表示面１１１Ａにおいて、特定接触操作領域画像に重なるように配置されるＵＩオブジェクト画像については、該ＵＩオブジェクト画像内に対応する位置に対する接触が行われた場合であっても、このＵＩオブジェクト画像に応じたアプリケーションプログラムは実行されない。ただし、特定接触操作領域設定部２１５によってタッチパネル１１に設定された特定接触操作領域が解除された場合には、ＵＩオブジェクト画像内に対応する位置に対する接触が行われると、このＵＩオブジェクト画像に応じたアプリケーションプログラムが実行される。また、携帯端末装置２０において、表示制御部１６４は、計時制御部１６２によって計時部１３から出力される計時値がリセットされてから計時動作が再開されるまでの間、計時値がリセットされたことを示す、予め定める計時値リセット画像を、表示部１１１の表示面１１１Ａに表示させるようにしてもよい。
【００５４】
携帯端末装置２０において、操作位置情報出力判定部１６１は、タッチパネル１１における特定接触操作領域内に対応する操作位置情報である特定操作位置情報がタッチパネル１１から出力されているか否かを判定する。そして、操作位置情報出力判定部１６１は、特定操作位置情報が出力されていると判定した場合には情報出力判定信号を出力し、特定操作位置情報が出力されていないと判定した場合には情報非出力判定信号を出力する。
【００５５】
携帯端末装置２０において、計時制御部１６２は、前述の携帯端末装置１と同様に、電源ボタン１５によって電源部１４による駆動電力の供給状態が給電状態に切換えられると、計時部１３に計時動作を開始させる。また、計時制御部１６２は、計時部１３の計時動作開始後に、操作位置情報出力判定部１６１から情報出力判定信号が出力されると、計時部１３の計時動作を停止させて計時値をリセットする。また、計時制御部１６２は、計時部１３の計時動作開始後に、操作位置情報出力判定部１６１から情報非出力判定信号が出力されると、計時部１３の計時動作を継続させる。さらに、計時制御部１６２は、計時部１３の計時動作開始後であって、計時部１３の計時動作を停止させて計時値をリセットした後に、操作位置情報出力判定部１６１から情報非出力判定信号が出力されると、計時部１３の計時動作を再開させる。
【００５６】
携帯端末装置２０において、電力制御部１６３は、前述の携帯端末装置１と同様に、計時制御部１６２によって制御された計時部１３から出力される計時値に基づいて、電源部１４から表示部１１１およびタッチパネル１１に供給される駆動電力を制御する。電力制御部１６３は、表示部１１１およびタッチパネル１１が第１の駆動電力で動作する通常モードと、表示部１１１およびタッチパネル１１が第１の駆動電力よりも低い第２の駆動電力で動作する省電力モードとを相互に切換える。
【００５７】
具体的には、電力制御部１６３は、電源ボタン１５によって電源部１４による駆動電力の供給状態が給電状態に切換えられると、通常モードに設定し、表示部１１１およびタッチパネル１１に電源部１４から供給される駆動電力を第１の駆動電力に制御する。電力制御部１６３は、電源ボタン１５によって電源部１４による駆動電力の供給状態が給電状態に切換えられて、計時部１３の計時動作開始後に、計時部１３から出力される計時値が予め定める閾値に達するまでは、通常モードを維持し、表示部１１１およびタッチパネル１１に供給される駆動電力を第１の駆動電力に制御する。そして、電力制御部１６３は、電源ボタン１５によって電源部１４による駆動電力の供給状態が給電状態に切換えられて、計時部１３の計時動作開始後に、計時部１３から出力される計時値が前記閾値に達すると、表示部１１１およびタッチパネル１１に供給される駆動電力を、前記第１の駆動電力よりも低い第２の駆動電力に制御する。
【００５８】
図６は、携帯端末装置２０において、制御部１６が省電力モード切換制御プログラムを実行することによって行われる省電力モード切換制御処理の処理手順を示すフローチャートである。図７は、携帯端末装置２０における省電力モード切換制御処理を説明するための図である。
【００５９】
ユーザによる電源ボタン１５の操作によって電源部１４による駆動電力の供給状態が給電状態に切換えられて、電力制御部１６３が、通常モードに設定し、表示部１１１およびタッチパネル１１に電源部１４から供給される駆動電力を第１の駆動電力に制御すると、省電力モード切換制御処理が開始され、ステップａ１に進む。
【００６０】
なお、電力制御部１６３が通常モードに設定し、表示部１１１およびタッチパネル１１に第１の駆動電力が供給されると、特定接触操作領域設定部２１５は、タッチパネル１１の操作面の一部を、特定接触操作領域として設定する。このように、特定接触操作領域設定部２１５によって特定接触操作領域が設定されると、表示部１１１の表示面１１１Ａには、たとえば図７（ａ）に示すような、複数のＵＩオブジェクト画像Ｕ１〜Ｕ９が表示されるとともに、特定接触操作領域画像Ｔ１が表示される。図７（ａ）の例では、表示部１１１の表示面１１１Ａには、表示面１１１Ａにおける左下端部に配置される「メモ帳」オブジェクト画像Ｕ７に重なるように、特定接触操作領域画像Ｔ１が配置されている。
【００６１】
ただし、ユーザによるタッチパネル１１に対する接触操作によって、特定接触操作領域設定部２１５が、タッチパネル１１に設定された特定接触操作領域を解除する処理を実行した場合、図７（ｃ）に示すように、表示部１１１の表示面１１１Ａには、特定接触操作領域画像Ｔ１が表示されない。
【００６２】
ステップａ１では、計時制御部１６２は、計時部１３の計時動作を開始させる。次に、ステップａ２では、操作位置情報出力判定部１６１は、タッチパネル１１に対するユーザによる接触が行われた否かを判定する。具体的には、操作位置情報出力判定部１６１は、タッチパネル１１のタッチセンサ１１２から操作位置情報が出力されているか否かを判定することによって、タッチパネル１１に対するユーザによる接触が行われた否かを判定する。操作位置情報出力判定部１６１は、操作位置情報が出力されていると判定した場合には情報出力判定信号を出力してステップａ５に進み、操作位置情報が出力されていないと判定した場合には情報非出力判定信号を出力してステップａ３に進む。
【００６３】
ステップａ２において操作位置情報出力判定部１６１から情報非出力判定信号が出力された後のステップａ３では、計時制御部１６２は、ステップａ１において計時動作を開始させた計時部１３の計時動作を継続させる。そして、電力制御部１６３は、計時部１３から出力される計時値が予め定める閾値に達したか否かを判定する。電力制御部１６３は、計時部１３による計時値が閾値に達していないと判定した場合にはステップａ２に処理を戻し、計時部１３による計時値が閾値に達するまでは、通常モードを維持し、表示部１１１およびタッチパネル１１に供給される駆動電力を第１の駆動電力に制御する。また、電力制御部１６３は、計時部１３による計時値が閾値に達したと判定した場合にはステップａ４に進む。
【００６４】
ステップａ４では、電力制御部１６３は、通常モードから省電力モードにモードの設定を切換えて、表示部１１１およびタッチパネル１１に供給される駆動電力を、前記第１の駆動電力よりも低い第２の駆動電力に制御する。このように、電力制御部１６３によって省電力モードに設定されると、表示部１１１のバックライトが消灯されるとともに、タッチパネル１１のタッチセンサ１１２がオフ状態となり、図７（ｄ）に示すように、表示部１１１の表示面１１１Ａには画像が表示されない状態となる。これによって、省電力化が図られる。
【００６５】
ステップａ２において操作位置情報出力判定部１６１から情報出力判定信号が出力された後のステップａ５では、計時制御部１６２は、ステップａ１において計時動作を開始させた計時部１３の計時動作を停止させて計時値をリセットする。このとき、計時部１３から出力される計時値は当然に予め定める閾値に達していないので、電力制御部１６３は、通常モードを維持し、表示部１１１およびタッチパネル１１に供給される駆動電力を第１の駆動電力に制御する。
【００６６】
次に、ステップａ６では、操作位置情報出力判定部１６１は、ステップａ２において検出したタッチパネル１１に対する接触が、タッチパネル１１の操作面における、表示面１１１Ａに表示される特定接触操作領域画像Ｔ１内に対応する位置に対する接触であるか否かを判定する。操作位置情報出力判定部１６１が特定接触操作領域画像Ｔ１内に対応する接触であると判定した場合にはステップａ７に進み、特定接触操作領域画像Ｔ１内に対応する接触ではないと判定した場合にはステップａ８に進む。
【００６７】
ステップａ７では、操作位置情報出力判定部１６１は、タッチパネル１１に対するユーザによる接触状態が解除されたか否かを判定する。具体的には、操作位置情報出力判定部１６１は、タッチパネル１１のタッチセンサ１１２から操作位置情報が出力されているか否かを判定することによって、タッチパネル１１に対するユーザによる接触状態が解除されたか否かを判定する。操作位置情報出力判定部１６１は、操作位置情報が出力されて、タッチパネル１１に対する接触状態が解除されていないと判定した場合には情報出力判定信号を出力してステップａ６に戻り、操作位置情報が出力されておらず、タッチパネル１１に対する接触状態が解除されたと判定した場合には情報非出力判定信号を出力してステップａ１に進む。
【００６８】
ステップａ８では、操作位置情報出力判定部１６１は、ステップａ２において検出したタッチパネル１１に対する接触が、タッチパネル１１の操作面における、表示面１１１Ａに表示されるＵＩオブジェクト画像内に対応する位置に対する接触であるか否かを判定する。操作位置情報出力判定部１６１がＵＩオブジェクト画像内に対応する接触であると判定した場合にはステップａ９に進み、ＵＩオブジェクト画像内に対応する接触ではないと判定した場合にはステップａ１に進む。
【００６９】
ステップａ９では、表示制御部１６４は、タッチパネル１１から出力される操作位置情報に対応したＵＩオブジェクト画像に応じて実行される、アプリケーションプログラムに対応したアプリケーション画像が表示面１１１Ａに表示されるように、表示部１１１を制御する。たとえば、表示部１１１の表示面１１１Ａに表示される、図７（ａ）に示すＵＩオブジェクト画像のうち、特定接触操作領域画像Ｔ１と重なる「メモ帳」オブジェクト画像Ｕ７以外の、「時計」オブジェクト画像Ｕ８に対応する接触がなされ、時計プログラムが実行された場合には、表示制御部１６４は、図７（ｂ）に示すように、時計アプリケーション画像が表示面１１１Ａに表示されるように、表示部１１１を制御する。
【００７０】
上記のように構成される本実施形態の携帯端末装置２０では、電源部１４から表示部１１１およびタッチパネル１１に供給される駆動電力が、計時制御部１６２によって制御された計時部１３から出力される計時値に基づいて、電力制御部１６３によって制御される。電力制御部１６３が駆動電力を制御するときに用いる計時部１３による計時値は、タッチパネル１１から出力される操作位置情報に基づく操作位置情報出力判定部１６１による判定結果に応じて、計時制御部１６２によって制御されたものであるので、カメラや加速度センサなどの特殊部品を動作させることなく、高度な省電力機能を達成することができる。
【００７１】
上記の実施形態では、省電力モード切換制御プログラムは、半導体メモリによって実現される記憶部１２に記憶されているが、このような記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【００７２】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【００７３】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only Memory）／ＥＥＰＲＯＭ（Electrically Erasable Programmable Read Only Memory）（登録商標）／フラッシュＲＯＭなどの半導体メモリを含む固定的にプログラムを担持する記録媒体であってもよい。
【符号の説明】
【００７４】
１，２０  携帯端末装置
１１  タッチパネル
１２  記憶部
１３  計時部
１４  電源部
１５  電源ボタン
１６，２１  制御部
１７  筐体
１１１  表示部
１１２  タッチセンサ
１６１  操作位置情報出力判定部
１６２  計時制御部
１６３  電力制御部
１６４  表示制御部
２１５  特定接触操作領域設定部
【図１】
2015052975.tif 000003
【図２】
2015052975.tif 000004
【図３】
2015052975.tif 000005
【図４】
2015052975.tif 000006
【図５】
2015052975.tif 000007
【図６】
2015052975.tif 000008
【図７】
2015052975.tif 000009